(57)【要約】      （修正有）【課題】握持した手の指先を介して操作し易い釣り竿を提供すること。【解決手段】魚釣用リールの釣竿取付部４を載置面１８に載置し、この釣竿取付部４を固定フード２０と移動フード２４とで載置面に押圧して保持するリールシート１４を有する釣り竿１０であって、リールシート１４は、載置面１８と固定フード２０とを形成するリールシート本体１６と、このリールシート本体１６の前部に配置され、固定フード２０の開口端２０ａの前方側部位に指当て用の凹部３８を形成する前部握り部３６とを有し、この握り部は、凹部３８が上方位置に配置される位置と、側方位置に配置される位置との間で移動可能である釣り竿１０。【選択図】図１
2009240281.tif 000002
【特許請求の範囲】
【請求項１】
魚釣用リールの脚部から前後に延びる釣竿取付部を載置面に載置し、釣竿取付部の前端側を、この載置面の前部で後方に向けて開口する固定フードに挿入し、この釣竿取付部を他端側から移動フードで押圧することにより、前記載置面に釣竿取付部を押圧して保持するリールシートを有する釣り竿であって、
前記リールシートは、載置面と固定フードとを形成するリールシート本体と、このリールシート本体の前部に配置され、固定フードの開口端の前方側部位に指当て部を形成する握り部とを有し、該指当て部が軸方向と周方向との少なくとも一方に移動可能であることを特徴とする釣り竿。
【請求項２】
前記指当て部は、保持した釣竿取付部から延びる脚部を人差し指から小指の間のいずれかの指の間に挟んでリールシートを握持したときに、この握持した手の親指が係合する位置と、人差し指の伸ばした指先が係合する位置との間で、前記指当て部を移動可能であることを特徴とする請求項１に記載の釣り竿。
【請求項３】
前記握り部は、このリールシート本体よりも軟質の材料で形成され、釣り竿の竿杆を挿通する嵌合筒体を有し、前記指当て部は、この嵌合筒体が露出する凹部を有することを特徴とする請求項１又は２に記載の釣り竿。
【請求項４】
前記指当て部は、前方かつ外方を向く後部傾斜面と、後方かつ外方を向く前部傾斜面と、後部傾斜面および前部傾斜面に連続し、嵌合筒体の外面を越えて軸芯側まで釣竿の両側に湾曲して延びる側底面を有する凹部で形成されることを特徴とする請求項２に記載の釣り竿。
【請求項５】
前記握り部は、釣り竿の軸芯に対して傾斜する後端面を有し、前記リールシート本体は、軸方向前方に開口して前記握り部の後端部を受入れる嵌合部を有し、この嵌合部は、握り部の後端面に対応する底壁面が当接面を形成することを特徴とする請求項１から４のいずれか１つに記載の釣り竿。
【請求項６】
前記開口部の内周面とこの開口部内に収容される握り部の後端部の外周面との一方に、突条を設け、他方にこの突条に嵌合する溝を設け、リールシート本体と握り部との軸方向移動を可能としかつ相対回転を阻止した状態で固定することを特徴とする請求項５に記載の釣り竿。
【発明の詳細な説明】
【技術分野】
【０００１】
本発明は、釣り竿に関し、特に、リールシートを介して魚釣用リールを取付ける釣り竿に関する。
【背景技術】
【０００２】
通常、このようなスピニングリールを取付けた釣り竿では、釣り竿を握持する手の人差し指を魚釣用リールを取付けた部位よりも前側に延ばし、この人差し指を通じて、水中でのルアーの動作や魚信を感得することが行われる。
【０００３】
このような、人差し指の先端部を安定した状態で容易にリールシートの側部に保持するため、リール装着部よりも前方の側部に、指当て部を設け、魚のぬめり等に係わらず、人差し指に力を掛けることができるようにした釣り竿が開発されている（例えば特許文献１参照）。
【特許文献１】実開昭６２−１９３８６８号公報
【発明の開示】
【発明が解決しようとする課題】
【０００４】
しかし、魚釣用スピニングリールを取付けた釣り竿の実釣時における操作として、例えばルアーを遠くに飛ばすキャスティング等の場合は、リールシートの載置面に固定したスピニングリールの釣竿取付部から下方に延びる脚部を、中指と薬指との間又は薬指と小指との間に挟み込み、上側すなわち載置面の反対側に親指を添えた状態で握持することも一般的に行われる。
【０００５】
この場合には、指当て部が側方にあるため、親指を握り込む際に、この親指の力を効率的に作用させることはできない。
【０００６】
本発明は、このような事情に基づいてなされたもので、握持した手の指先を介して操作し易い釣り竿を提供することを目的とする。
【課題を解決するための手段】
【０００７】
上記目的を達成する本発明の釣り竿は、魚釣用リールの脚部から前後に延びる釣竿取付部を載置面に載置し、釣竿取付部の前端側を、この載置面の前部で後方に向けて開口する固定フードに挿入し、この釣竿取付部を他端側から移動フードで押圧することにより、前記載置面に釣竿取付部を押圧して保持するリールシートを有する釣り竿であって、前記リールシートは、載置面と固定フードとを形成するリールシート本体と、このリールシート本体の前部に配置され、固定フードの開口端の前方側部位に指当て部を形成する握り部とを有し、該指当て部が軸方向と周方向との少なくとも一方に移動可能であることを特徴とする。
【０００８】
前記指当て部は、保持した釣竿取付部から延びる脚部を人差し指から小指の間のいずれかの指の間に挟んでリールシートを握持したときに、この握持した手の親指が係合する位置と、人差し指の伸ばした指先が係合する位置との間で、前記指当て部を移動可能であることが好ましい。
【０００９】
前記握り部は、このリールシート本体よりも軟質の材料で形成され、釣り竿の竿杆を挿通する嵌合筒体を有し、前記指当て部は、この嵌合筒体が露出する凹部を有することが好ましい。
【００１０】
前記指当て部は、前方かつ外方を向く後部傾斜面と、後方かつ外方を向く前部傾斜面と、後部傾斜面および前部傾斜面に連続し、嵌合筒体の外面を越えて軸芯側まで釣竿の両側に湾曲して延びる側底面を有する凹部で形成されることが好ましい。
【００１１】
前記握り部は、釣り竿の軸芯に対して傾斜する後端面を有し、前記リールシート本体は、軸方向前方に開口して前記握り部の後端部を受入れる嵌合部を有し、この嵌合部は、握り部の後端面に対応する底壁面が当接面を形成することが好ましい。
【００１２】
前記開口部の内周面とこの開口部内に収容される握り部の後端部の外周面との一方に、突条を設け、他方にこの突条に嵌合する溝を設け、リールシート本体と握り部とを軸方向移動が可能でかつ相対回転を阻止した状態で固定するものであってもよい。
【発明の効果】
【００１３】
本発明の釣り竿によると、魚釣り操作に応じて指当て部を軸方向と周方向との少なくとも一方に移動することにより、この指当て部を操作に応じて使い分け、必要な魚釣り操作を効果的に行うことができる。
【００１４】
指当て部が、握持した手の親指が係合する位置と、人差し指の伸ばした指先が係合する位置との間で移動する場合には、この指当て部に親指あるいは人差し指の指先を当てることで、必要な魚釣り操作を効果的に行うことができる
指当て部が、竿杆を挿通する嵌合筒体を露出させた凹部を有する場合には、親指又は人差し指の係止が容易で、嵌合筒体を介して竿杆に作用する魚信を容易に感得することもできる。
【００１５】
特に、指当て部が、後部傾斜面と前部傾斜面とに連続し、嵌合筒体の外面を越えて軸芯側まで釣竿の両側に湾曲して延びる側底面を有する凹部で形成される場合には、これらの面を使い分けて、握持する手の指で操作することができる。
【００１６】
また、握り部とリールシート本体との当接面が、傾斜面で形成される場合には、リールシート本体に対して握り部を回転すると、軸方向にも変位させることができ、操作性を向上させることができる。
【００１７】
握り部とリールシート本体とを軸方向移動が可能でかつ相対回転を阻止した状態で固定する場合には、その固定位置で指当て部の回転移動が阻止されるため、釣り竿の操作が容易となる。
【発明を実施するための最良の形態】
【００１８】
図１から図４は、本発明の好ましい実施形態による釣り竿１０を示す。
【００１９】
本実施形態の釣り竿１０は、例えばキャスティング用として適したもので、繊維強化樹脂製であるのが好ましい例えば元竿である竿杆１２を内部に挿通し、スピニングリール８である魚釣用リールを下側に吊下げた状態で取付けるリールシート１４を備える。このリールシート１４に取付けられる魚釣用リール８は、リール本体８ａから上方に延びる脚部６の先端に前後に延びる釣竿取付部４を有し、この釣竿取付部４を介してリールシート１４に固定される。なお、本明細書中で、上下とはスピニングリール８を吊下げた状態における上下方向を指し、前方は竿先側を指し、後方は竿尻側を指す。また、側方は、釣り竿１０を上方からみたときの、右または左側を指す。いずれも説明のためのものである。
【００２０】
このリールシート１４は、竿杆１２を軸方向に挿通する筒状構造のリールシート本体１６を備え、この下側には、魚釣用リール８の釣竿取付部４を載置する載置面１８を、前後に沿って平坦状に形成してある。この載置面１８の竿先側である前部では、固定フード２０の開口端２０ａが後方に向けて開口する。また、このリールシート本体１６の例えば握持した際の後端側外周部に形成したねじ部２２（図３の（Ｃ）参照）に、開口端２４ａを前方に向けて開口させた移動フード２４が軸方向に移動自在に装着される。
【００２１】
魚釣用リール８を取付ける場合は、釣竿取付部４をこのリールシート本体１６の載置面１８に載置し、前端を固定フード２０の開口内に開口端２０ａから挿入し、後端を開口端２４ａから移動フード２４の開口内に挿入する。移動フード２４をねじ部２２に沿って前方に移動すると、釣竿取付部４が後端側から固定フード２０内に付勢されると共に、固定フード２０および移動フード２４の開口内で傾斜面を介して載置面１８側に押圧される。これにより、釣竿取付部４がリールシート本体１６に強固に固定され、固定フード２０と移動フード２４との間から脚部６を突出させた状態で、魚釣用リール８の全体がこのリールシート本体１６にガタ付を生じることなく、強固に保持される。
【００２２】
なお、上述の移動フード２４は、後方部位１６ｂの全周にわたってリールシート本体１６よりも軟質の材料製の柔軟部材を配置した後部握り部２４ｂを兼ね、ねじ部２２上で回転しつつ前後に移動するナット部材と一体に形成し、その開口端２４ａを全周にわたって開口させてあるが、移動フード２４を回転させることなく、連結した別個のナット部材を回転させ、前後動させてもよい。この場合には、固定フード２０の開口端２０ａと対向した部位にのみ開口端２４ａを開口させることができる。また、このリールシート本体１６内に挿通される竿杆１２は、中空構造あるいは中実構造のいずれであってもよく、例えば接着剤を用いてリールシート本体１６の内周面に強固に固着される。
【００２３】
本実施形態のリールシート本体１６は、強度を維持しつつ軽量構造とするために、例えばナイロンやＡＢＳ等の合成樹脂で筒状に形成されるのが好ましく、一方、このような合成樹脂だけでなく、金属（例えばＳＵＳ、アルミニウム、マグネシウム、チタン、真鍮）等の適宜の材料から形成してもよい。
【００２４】
このリールシート本体１６は、図１および図２に点線で示すように、このリールシート本体１６の載置面１８上に釣竿取付部４を保持あるいは固定したときに、脚部６が配置される位置よりも前方部位１６ａを、図３の（Ａ）に示すように、後方部位１６ｂよりも側方寸法の大きな幅広に形成し、全体に握持し易い形状に形成してある。
【００２５】
具体的には、このリールシート本体１６から延びる脚部６を、例えば中指と薬指との間または薬指と小指との間等の、人差し指から小指の間のいずれかの２本の指に間で挟んでリールシート１４を握持したときに、後方部位１６ｂを薬指および小指で握り込み易い幅狭構造に形成する。一方、前方部位１６ａは、脚部６を同様に挟んだときに、図２に示すように、人差し指および中指で容易に握り込むことができる幅広構造に形成し、脚部６が配置される部位で、これらの前方部位１６ａと後方部位１６ｂとが滑らかな曲面で連結される。符号１６ｃは幅広構造部と幅狭構造部との間の稜線部を示す。両側に形成されるこの稜線部１６ｃ間の幅は、固定フード２０の開口端２０ａと脚部６との間のほぼ中央位置で最も広く形成され、後方に向けて次第に狭くなる。
【００２６】
このリールシート本体１６の前方部位１６ａは、載置面１８の反対側で、脚部６が配置される位置と固定フード２０の開口端２０ａとの間の中間部に、上方に最も突出した頂部を有する膨出部２６を形成し、この頂部から前方および後方に滑らかに湾曲しつつ軸芯側に下降する傾斜面が延びる。この膨出部２６の後方傾斜面は、図１に示すように、中指と薬指との間に脚部６を挟んで深く握り込んだときに、握持した手の母指球を当接させることができる。反対側の前方傾斜面は、固定フード２０の開口よりも僅かに前方位置まで延び、母指球から指先に向けた曲線に沿った形状にすることで握持性を高めることができる。
【００２７】
また、前方部位１６ａの載置面１８の側には、固定フード２０の前端から膨出部２６よりも前方に突出すると共に、下方に膨出する延長部２８を形成してある。この延長部２８は、魚釣用リールを取付けたときの脚部６と固定フード２０の開口端２０ａとの間の距離にほぼ等しい距離だけ、この開口端２０ａから前方に延びる。この延長部２８の前後方向に沿う中間部位の頂部は、図１に示すように、中指と薬指との間に脚部６を挟みかつ中指の前方を、この中指との間に間隙を設けて軽く握り込んだときに、握持した手の人差し指が掛かる前方傾斜面と、人差し指を中指に密着させて強く握り込んだときに、人差し指が掛かる後方傾斜面とを形成する位置に配置することが好ましい。
【００２８】
リールシート本体１６の延長部２８がこのような頂部を有することにより、リールシート本体１６の前方部位１６ａを軽く握り込んだとき、および、強く握り込んだときのいずれの場合でも、この延長部２８に人差し指をあてて操作することができ、釣り竿１０の微妙な操作から力強い操作まで、操作性に優れた握り部を形成することができる。
【００２９】
この延長部２８の両側では、側壁部３０が、この延長部２８の最前端から、後方かつ上方に向けて膨出部２６の前方傾斜面まで、滑らかな曲線状の前縁部３２を形成する。この前縁部３２を形成する延長部２８と側壁部３０とが、上方および前方に開口し、本発明における握り部である前部握り部３６が、この後部が回動可能に嵌合される嵌合部３４を形成する。
【００３０】
図３の（Ｃ）に示すように、本実施形態の前部握り部３６は、リールシート本体１６よりも軟質の材料により、竿杆１２を内部に挿通する厚肉円筒状構造に形成してあり、後端面３７は軸芯に垂直に形成され、嵌合部３４の底壁面として軸芯に垂直に配置されたリールシート本体１６の前端面１７に当接することができる。この前部握り部３６は、後端面３７を前端面１７である当接面に当接させた状態で、嵌合部３４内に嵌合されかつ摩擦力等で保持される円筒状の後方部位と、先細状の前方部位とを有する。この後方部位には、半径方向外方に向けて開口する凹部３８を指当て部として形成してある。
【００３１】
この指当て部を形成する凹部３８は、固定フード２０の開口端２０ａの前方側部位に、前部握り部３６の壁厚を超える深さで形成してあり、この凹部３８内に露出する竿杆１２および前部握り部３６の薄肉部を保護する嵌合筒体４０が、少なくともこの凹部３８が形成される部位にわたって、この前部握り部３６の内周部に配置してある。
【００３２】
図３の（Ｃ）に示すように、この嵌合筒体４０は、繊維強化樹脂又は合成樹脂で形成され、好適な接着剤等でこの前部握り部３６に一体的に固着され、竿杆１２の外周面上を摺動することができる。これにより、前部握り部３６は、図１および図３に示すように、凹部３８が上方に開口する位置と、図２および図４に示すように、凹部３８が側方に向けて開口する位置との間を移動することができる。
【００３３】
この前部握り部３６に形成される凹部３８は、図１および図３に示すように、膨出部２６側の上方位置で、魚釣用リール８の脚部６を人差し指から小指の間のいずれかの２本の指に間で挟んでリールシートを握持したときに、この握持した手の親指を支える後部傾斜面４２と、後方かつ外方を向き、親指の前方移動を規制する前部傾斜面４４とを有する。これらの後部傾斜面４２および前部傾斜面４４からは、竿杆１２の外面を越えて軸芯側まで竿杆１２すなわち嵌合筒体４０の両側に湾曲する側底面４６，４６が延設される。
【００３４】
後部傾斜面４２は、上述の延長部２８の上側すなわち径方向に対向した部位に配置されており、特に、図１に示すようにスピニングリール８の脚部６を中指と薬指との間に挟んで握持したときに、親指の腹の部分をこの後部傾斜面４２に当て、延長部２８に当てた人差し指との間で強く握持することができる。更に、この凹部３８の後部傾斜面４２が竿杆１２の軸芯に対して傾斜することにより、親指の腹を後方に向けて引き寄せるように押圧することができる。
【００３５】
このように、後部傾斜面４２に親指を掛けることにより、延長部２８に下から添えた人差し指との間で、リールシート１４を強く握り込むことができると共に、この後部傾斜面４２を、親指の腹で後方に押圧することもできる。これにより、リールシート１４をコンパクトかつ確実に握り込むことができ、キャスティング等の魚釣り操作の際に、意図した方向に対して釣り竿１０が左右にずれた方向に振れてしまうのを、防止することができる。
【００３６】
後部傾斜面４２に対向配置された前部傾斜面４４は、軸芯に対して後部傾斜面４２よりも立上がった状態すなわちより大きな角度で傾斜する。これにより、この後部傾斜面４２に握持した手の親指の指先が係合したときに、この親指の指先を係止し、釣り竿１０に対して親指が前方に移動するのを確実に阻止する。この前部傾斜面４４は、握持した手の親指の前方移動を係止するストッパとして機能する。
【００３７】
また、これらの後部傾斜面４２と前部傾斜面４４とに連続する側底面４６が、嵌合筒体４０の両側に配置されることで、この凹部３８内に嵌合筒体４０の軸芯よりも上側の半円筒状の外周面が突出し、これらの側底面４６，４６間で左右の中央位置に配置される。この嵌合筒体４０と左右の側底面４６との間には、それぞれ溝状または谷状に凹設され、側底面４６に親指を載置したときに、親指の側方移動を阻止する側方ストッパとして用いることができる。
【００３８】
これにより、釣り糸を魚釣用リール８に巻き取る際に、リールシート１４を握持した手の親指を一方の側底面４６に載置して釣り竿１０が軸芯回りに回転するのを確実に阻止することができる。この側底面４６が嵌合筒体４０の両側に形成されることにより、魚釣用リール８のハンドル位置が右側あるいは左側のいずれに配置される場合であっても、対応することができる。
【００３９】
更に、前部握り部３６を回動し、図２および図４に示すように、凹部３８が魚釣用リール８のハンドルの反対側に配置すると、この凹部３８は、リールシート本体１６の前縁部３２よりも前方に配置される。これにより、凹部３８に人差し指を当てて、釣り竿１０を操作することができる。凹部３８内に軸方向に沿って嵌合筒体４０が突出しているため、人差し指の滑りが防止され、確実に操作することができる。更に、嵌合筒体４０が竿杆に直接接触しているため、この嵌合筒体４０を介して竿杆に作用する魚信を感得することも可能である。
【００４０】
したがって、上述の釣り竿１０によれば、魚釣り操作に応じて指当て部を軸方向と周方向との少なくとも一方に移動することにより、この指当て部を操作に応じて使い分け、必要な魚釣り操作を効果的に行うことができる。例えば、この指当て部を形成する凹部３８を、上側または側方の必要とする位置に移動し、この凹部３８に親指あるいは人差し指の指先を当てることで、必要な魚釣り操作を効果的に行うことができる。
【００４１】
この凹部３８が、竿杆１２を挿通する嵌合筒体４０を露出させた凹部３８として形成されることにより、親指又は人差し指の係止が容易で、嵌合筒体４０を介して竿杆に作用する魚信を容易に感得することもできる。
【００４２】
特に、凹部３８が、後部傾斜面４２と前部傾斜面４４とに連続し、嵌合筒体４０の外面を越えて軸芯側まで竿杆１２の両側に湾曲して延びる側底面４６を有する場合には、これらの面を使い分け、例えば強く握持する場合には後部傾斜面４２を押圧し、釣り竿１０の回転を阻止する場合には、側底面４６を押圧し、更に、前部傾斜面４４をストッパとして使用して、リールシート１４を握持する手の指で種々の操作を行うことができる。
【００４３】
このような種々の操作に用いる指当て部としての凹部３８は、後部傾斜面４２と前部傾斜面４４との間の最大距離すなわち後部傾斜面４２の後端部と前部傾斜面４４の前端部との間の軸方向距離を例えば３５〜４５ｍｍ程度に形成し、この後部傾斜面４２の後端部と固定フード２０の開口端２０ａから５〜１５ｍｍ程度に形成することが好ましい。このような範囲に形成することにより、無理なく親指を後部傾斜面に当接すること可能となる利点がある。
【００４４】
また、後部傾斜面４２の軸芯に対する傾斜角は当接した親指が安定するために、約３０度程度に形成し、前部傾斜面４４の軸芯に対する傾斜角は、当接した親指の前方移動を規制するために、約５０度程度に形成することが好ましい。これらの後部傾斜面４２と前部傾斜面４４とは、平坦面で形成してもよく、更に、後部傾斜面４２を、当接する親指の腹の形状に対応する凹面状に形成することが親指を安定して密着させるために好ましい。そして、左右の側底面４６の幅寸法は、親指を安定した状態で載置するために、それぞれ親指の幅の１／２〜１／３で、例えば５〜１０ｍｍ程度のほぼ等しい大きさに形成することが好ましい。
【００４５】
このような凹部３８を形成する前部握り部３６は、リールシート本体１６よりも軟質材料で形成することにより、親指の握持が容易となり、親指が痛くならず、優れた握持感が得られ、リールシート１４およびこれを取付けた釣り竿１０の操作を容易に行うことがことができる。例えばウレタン、スチレン、ポリエステル等のエラストマー等の合成樹脂、ＥＶＡ、ウレタン発泡体のような発泡材料、更に、コルク等の天然材料で形成することも可能である。前部握り部３６の円筒状部の最大肉厚は、３〜１０ｍｍ程度に形成することが好ましい。後部握り部２４ｂを形成する材料についても同様である。また、嵌合筒体４０は、竿杆１２と同様な繊維強化樹脂で形成してもよい。
【００４６】
なお、前部握り部３６がウレタン発泡体やコルク等の柔軟な材料で形成する場合は、先端部にリング状部材（図示しない）を設け、この前部握り部３６を保護するようにしてもよい。
【００４７】
図５は、凹部３８を周方向および軸方向の双方に移動可能とした実施形態を示す。なお、以下に示す種々の実施形態または変形例は、基本的には上述の実施形態と同様であるため、同様な部位には同様な符号を付し、詳細な説明を省略する。
【００４８】
図５の（Ｃ）に示すように、この実施形態における前部握り部３６の後端面３７と、リールシート本体１６の前端面１７とは、載置面１８を軸方向に通る断面内で、竿杆１２の軸芯に対して傾斜し、凹部３８が上方位置（図５の（Ａ）〜（Ｃ）に示す位置）に配置されたときに、その全面が接触する。
【００４９】
そして、釣り竿１０の前方に向かって時計方向に前部握り部３６をほぼ９０度回転し、側方位置（図５の（Ｄ）および（Ｅ）に示す位置）に配置すると、前部握り部３６の後端面３７がリールシート本体１６の前端面１７上を摺動しつつ、前方に移動する。前部握り部３６および凹部３８は、周方向に移動すると共に、軸方向前方に移動する。これにより、上方位置では親指による操作に好適な手元側に配置され、側方位置では人差し指による操作に好適な前方位置に配置されることになり、前部握り部の回転操作で、周方向および軸方向の双方に変位させることができ、操作性を向上させることができる。
【００５０】
前部握り部３６をリールシート本体１６に対して反時計方向に回転した場合も同様である。例えば左利き用の魚釣用リール８を取付けた場合でも、同様に、操作性を向上することができる。
【００５１】
図６は、前部握り部３６の偶発的な回転を阻止するため、前部握り部３６の後端部の外周面すなわち後端面３７を囲む外周部に、複数の軸方向溝４８を形成し、嵌合部３４の内周面の前端面１７を囲む部位に、これらの軸方向溝４８に嵌合する複数の突条５０を軸方向に沿って形成してある。
【００５２】
これらの軸方向溝４８と突条５０とを嵌合することにより、前部握り部３６とリールシート本体１６との回転を阻止することができる。凹部３８の位置を変更する場合は、図６の（Ａ）に示すように、前部握り部３６を嵌合部３４から抜出し、所要位置に回転した後、軸方向溝４８と突条５０との位置を合わせ、軸方向に移動して嵌合部３４に嵌合する。例えば凹部３８の側底面４６の一方に大きな力を作用させても、前部握り部３６が回転することはなく、操作性を向上させることができる。
【００５３】
なお、軸方向溝４８と突条５０とは同数である必要はなく、回動位置に保持できるものであれば、軸方向溝４８と突条５０との一方が１つ以上あればよい。
【００５４】
図７は、竿杆１２の外周面に軸方向溝５２を形成し、嵌合筒体４０の内周面に、この軸方向溝５２に嵌合する突条５４を形成し、前部握り部３６の偶発的な回転を防止する。突条５４の軸方向溝５２の半分以下の長さとすることで、凹部３８を所要位置に回転することが可能である。
【００５５】
前部握り部３６の後端面３７とリールシート本体１６の前端面１７とを、竿杆１２の軸芯に垂直に形成してあるが、図５に示すように、傾斜面で形成してもよい。
【００５６】
なお、本発明は上述の種々の実施形態に限るものではなく、様々に変更可能なことは明らかである。図１から図４に示す実施形態のリールシート１４に、図６又は図７に示す軸方向溝および突条を用いることが可能なことは明らかである。
【図面の簡単な説明】
【００５７】
【図１】本発明の好ましい実施形態による釣り竿の使用状態の説明。
【図２】図１に示す釣り竿の握持態様を変更した状態の説明図。
【図３】図１に示す釣り竿の一部を凹部を上方位置に配置した状態で示し、（Ａ）は平面図、（Ｂ）および（Ｃ）は、それぞれ（Ａ）のＢ−Ｂ線およびＣ−Ｃ線に沿う図。
【図４】図１に示す釣り竿の一部を凹部を側方位置に配置した状態で示し、（Ａ）は平面図、（Ｂ）は（Ａ）のＢ−Ｂ線に沿う図。
【図５】他の実施形態による釣り竿の一部を示し、（Ａ）は凹部を上方位置に配置した平面図、（Ｂ）および（Ｃ）は、それぞれ（Ａ）のＢ−Ｂ線およびＣ−Ｃ線に沿う説明図、（Ｄ）は凹部を側方位置に配置した平面図、（Ｅ）は（Ｄ）のＥ−Ｅ線に沿う図。
【図６】更に他の実施形態による釣り竿の一部を示し、（Ａ）は前部握り部をリールシート本体から分離した状態の側面図、（Ｂ）は嵌合した状態の側面図、（Ｃ）は（Ｂ）のＣ−Ｃ線に沿う断面図。
【図７】更に他の実施形態による釣り竿の一部を示し、（Ａ）は軸方向断面図、（Ｂ）はそのＢ−Ｂ線に沿う横断面図。
【符号の説明】
【００５８】
４…釣竿取付部、６…脚部、８…魚釣用リール、１０…釣り竿、１２…竿杆、１４…リールシート、１６…リールシート本体、１８…載置面、２０…固定フード、２４…移動フード、３６…前部握り部（握り部）、３８…凹部（指当て部）。
【図１】
2009240281.tif 000003
【図２】
2009240281.tif 000004
【図３】
2009240281.tif 000005
【図４】
2009240281.tif 000006
【図５】
2009240281.tif 000007
【図６】
2009240281.tif 000008
【図７】
2009240281.tif 000009